(57)【特許請求の範囲】
【請求項１】
ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスのうちの１回目〜ｉ回目のイメージングシーケンスによって収集されるデータは、前記データ収集領域のうちの前記データ非収集領域に隣接する側の位置から、前記データ非収集領域を離れる方向に並ぶように、前記データ収集領域に配置されるとともに、前記複数回のイメージングシーケンスのうちのｊ回目以降（ｊ＞ｉ）のイメージングシーケンスによって収集されるデータは、前記データ収集領域内の位置から、前記データ収集領域のうちの前記データ非収集領域とは反対側の位置に向かって並ぶように、前記データ収集領域に配置され、
前記１回目〜ｉ回目のイメージングシーケンスのＲＦパルスのフリップ角が次第に増加するとともに、前記ｊ回目以降のイメージングシーケンスのＲＦパルスのフリップ角が次第に減少するように、前記スキャンを実行するスキャン手段を有する、磁気共鳴装置。
【請求項２】
前記ｋ空間は、前記データ収集領域と前記データ非収集領域とを横切るラインを有し、
前記１回目〜ｉ回目のイメージングシーケンスによって収集されるデータは、前記データ収集領域のうちの前記データ非収集領域に隣接する側の位置から、前記データ非収集領域を離れる方向に並ぶように、前記ライン上に配置される、請求項１に記載の磁気共鳴装置。
【請求項３】
前記ｊ回目以降のイメージングシーケンスによって収集されるデータは、前記データ収集領域内の位置から、前記データ収集領域のうちの前記データ非収集領域とは反対側の位置に向かって並ぶように、前記ライン上に配置される、請求項２に記載の磁気共鳴装置。
【請求項４】
前記シーケンス群は、前記被検体の呼吸信号を検出するためのナビゲータシーケンスを有する、請求項１〜３のうちのいずれか一項に記載の磁気共鳴装置。
【請求項５】
前記ナビゲータシーケンスは、前記複数回のイメージングシーケンスが実行された後に、待ち時間を設けて実行される、請求項４に記載の磁気共鳴装置。
【請求項６】
ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスは、複数のセグメントに分割されており、
各セグメントの１回目〜ｉ回目のイメージングシーケンスによって収集されるデータは、前記データ収集領域のうちの前記データ非収集領域に隣接する側の位置から、前記データ非収集領域を離れる方向に並ぶように、前記データ収集領域に配置されるとともに、前記各セグメントのｊ回目以降（ｊ＞ｉ）のイメージングシーケンスによって収集されるデータは、前記データ収集領域内の位置から、前記データ収集領域のうちの前記データ非収集領域とは反対側の位置に向かって並ぶように、前記データ収集領域に配置され、
前記１回目〜ｉ回目のイメージングシーケンスのＲＦパルスのフリップ角が次第に増加するとともに、前記ｊ回目以降のイメージングシーケンスのＲＦパルスのフリップ角が次第に減少するように、前記スキャンを実行するスキャン手段を有する、磁気共鳴装置。
【請求項７】
前記複数のセグメントのうちの少なくとも２つ以上のセグメントの前記ｉの値は、互いに異なる値である、請求項６に記載の磁気共鳴装置。
【請求項８】
前記ｋ空間は、前記データ収集領域と前記データ非収集領域とを横切るラインを有し、
前記各セグメントの１回目〜ｉ回目のイメージングシーケンスによって収集されるデータは、前記データ収集領域のうちの前記データ非収集領域に隣接する側の位置から、前記データ非収集領域を離れる方向に並ぶように、前記ライン上に配置される、請求項６又は７に記載の磁気共鳴装置。
【請求項９】
前記各セグメントのｊ回目以降のイメージングシーケンスによって収集されるデータは、前記データ収集領域内の位置から、前記データ収集領域のうちの前記データ非収集領域とは反対側の位置に向かって並ぶように、前記ライン上に配置される、請求項８に記載の磁気共鳴装置。
【請求項１０】
前記複数のセグメントのうちの少なくとも２つ以上のセグメントの前記ｊの値は、互いに異なる値である、請求項９に記載の磁気共鳴装置。
【請求項１１】
前記シーケンス群は、前記被検体の呼吸信号を検出するためのナビゲータシーケンスを有する、請求項６〜１０のうちのいずれか一項に記載の磁気共鳴装置。
【請求項１２】
前記ナビゲータシーケンスは、前記複数回のイメージングシーケンスが実行された後に、待ち時間を設けて実行される、請求項１１に記載の磁気共鳴装置。
【請求項１３】
前記複数のセグメントのうちの少なくとも２つ以上のセグメントのフリップ角の最大値は、互いに異なる値である、請求項６〜１２のうちのいずれか一項に記載の磁気共鳴装置。
【請求項１４】
ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスのうちの１回目〜ｉ回目のイメージングシーケンスによって収集されるデータは、前記データ収集領域のうちの前記データ非収集領域とは反対側の位置から、前記データ非収集領域に近づく方向に並ぶように、前記データ収集領域に配置されるとともに、前記複数回のイメージングシーケンスのうちのｊ回目以降（ｊ＞ｉ）のイメージングシーケンスによって収集されるデータは、前記データ収集領域内の位置から、前記データ収集領域のうちの前記データ非収集領域に隣接する側の位置に向かって並ぶように、前記データ収集領域に配置され、
前記１回目〜ｉ回目のイメージングシーケンスのＲＦパルスのフリップ角が次第に増加するとともに、前記ｊ回目以降のイメージングシーケンスのＲＦパルスのフリップ角が次第に減少するように、前記スキャンを実行するスキャン手段を有する、磁気共鳴装置。
【請求項１５】
前記ｋ空間は、前記データ収集領域と前記データ非収集領域とを横切るラインを有し、
前記１回目〜ｉ回目のイメージングシーケンスによって収集されるデータは、前記データ収集領域のうちの前記データ非収集領域とは反対側の位置から、前記データ非収集領域に近づく方向に並ぶように、前記ライン上に配置される、請求項１４に記載の磁気共鳴装置。
【請求項１６】
前記ｊ回目以降のイメージングシーケンスによって収集されるデータは、前記データ収集領域内の位置から、前記データ収集領域のうちの前記データ非収集領域に隣接する側の位置に向かって並ぶように、前記ライン上に配置される、請求項１５に記載の磁気共鳴装置。
【請求項１７】
前記シーケンス群は、前記被検体の呼吸信号を検出するためのナビゲータシーケンスを有する、請求項１４〜１６のうちのいずれか一項に記載の磁気共鳴装置。
【請求項１８】
前記ナビゲータシーケンスは、前記複数回のイメージングシーケンスが実行された後に、待ち時間を設けて実行される、請求項１７に記載の磁気共鳴装置。
【請求項１９】
ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスは、複数のセグメントに分割されており、
各セグメントの１回目〜ｉ回目のイメージングシーケンスによって収集されるデータは、前記データ収集領域のうちの前記データ非収集領域とは反対側の位置から、前記データ非収集領域に近づく方向に並ぶように、前記データ収集領域に配置されるとともに、前記各セグメントのｊ回目以降（ｊ＞ｉ）のイメージングシーケンスによって収集されるデータは、前記データ収集領域内の位置から、前記データ収集領域のうちの前記データ非収集領域に隣接する側の位置に向かって並ぶように、前記データ収集領域に配置され、
前記１回目〜ｉ回目のイメージングシーケンスのＲＦパルスのフリップ角が次第に増加するとともに、前記ｊ回目以降のイメージングシーケンスのＲＦパルスのフリップ角が次第に減少するように、前記スキャンを実行するスキャン手段を有する、磁気共鳴装置。
【請求項２０】
前記複数のセグメントのうちの少なくとも２つ以上のセグメントの前記ｉの値は、互いに異なる値である、請求項１９に記載の磁気共鳴装置。
【請求項２１】
前記ｋ空間は、前記データ収集領域と前記データ非収集領域とを横切るラインを有し、
前記各セグメントの１回目〜ｉ回目のイメージングシーケンスによって収集されるデータは、前記データ収集領域のうちの前記データ非収集領域とは反対側の位置から、前記データ非収集領域に近づく方向に並ぶように、前記ライン上に配置される、請求項１９又は２０に記載の磁気共鳴装置。
【請求項２２】
前記各セグメントのｊ回目以降のイメージングシーケンスによって収集されるデータは、前記データ収集領域内の位置から、前記データ収集領域のうちの前記データ非収集領域に隣接する側の位置に向かって並ぶように、前記ライン上に配置される、請求項２１に記載の磁気共鳴装置。
【請求項２３】
前記複数のセグメントのうちの少なくとも２つ以上のセグメントの前記ｊの値は、互いに異なる値である、請求項２２に記載の磁気共鳴装置。
【請求項２４】
前記シーケンス群は、前記被検体の呼吸信号を検出するためのナビゲータシーケンスを有する、請求項１９〜２３のうちのいずれか一項に記載の磁気共鳴装置。
【請求項２５】
前記ナビゲータシーケンスは、前記複数回のイメージングシーケンスが実行された後に、待ち時間を設けて実行される、請求項２４に記載の磁気共鳴装置。
【請求項２６】
前記複数のセグメントのうちの少なくとも２つ以上のセグメントのフリップ角の最大値は、互いに異なる値である、請求項１９〜２５のうちのいずれか一項に記載の磁気共鳴装置。
【発明の詳細な説明】
【技術分野】
【０００１】
本発明は、ｋ空間を、データが収集されるデータ収集領域と、データが収集されないデータ非収集領域とに分け、データ収集領域に配置されるデータを取得する磁気共鳴装置に関する。
【背景技術】
【０００２】
撮影の高速化を図る方法として、ｋ空間の一部の領域のデータのみを収集する方法が知られている（特許文献１参照）。
【先行技術文献】
【特許文献】
【０００３】
【特許文献１】特開２０１０−０４２２４５号公報
【発明の概要】
【発明が解決しようとする課題】
【０００４】
また、ｋ空間のｋｚ方向のデータを部分的に収集するパーシャルｋｚが知られている。しかし、パーシャルｋｚによりデータを収集した場合、ｋ空間のデータが収集されない領域と、データが収集される領域との間に、大きな信号強度の段差が生じやすく、アーチファクトの原因となる。したがって、信号強度の段差ができるだけ小さくなるように、データを収集することが望まれている。
【課題を解決するための手段】
【０００５】
本発明の第１の態様は、ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスのうちの１回目〜ｉ回目のイメージングシーケンスによって収集されるデータは、前記データ収集領域のうちの前記データ非収集領域に隣接する側の位置から、前記データ非収集領域を離れる方向に並ぶように、前記データ収集領域に配置され、
前記１回目〜ｉ回目のイメージングシーケンスのＲＦパルスのフリップ角が次第に増加するように、前記スキャンを実行するスキャン手段を有する、磁気共鳴装置である。
【０００６】
本発明の第２の態様は、ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスは、複数のセグメントに分割されており、
各セグメントの１回目〜ｉ回目のイメージングシーケンスによって収集されるデータは、前記データ収集領域のうちの前記データ非収集領域に隣接する側の位置から、前記データ非収集領域を離れる方向に並ぶように、前記データ収集領域に配置され、
前記１回目〜ｉ回目のイメージングシーケンスのＲＦパルスのフリップ角が次第に増加するように、前記スキャンを実行するスキャン手段を有する、磁気共鳴装置である。
【０００７】
本発明の第３の態様は、ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスのうちのｊ回目（ｊ＞１）以降のイメージングシーケンスによって収集されるデータは、前記データ収集領域内の位置から、前記データ収集領域のうちの前記データ非収集領域に隣接する側の位置に向かって並ぶように、前記データ収集領域に配置され、
前記ｊ回目以降のイメージングシーケンスのＲＦパルスのフリップ角が次第に減少するように、前記スキャンを実行するスキャン手段を有する、磁気共鳴装置である。
【０００８】
本発明の第４の態様は、ｋ空間を、データが収集されるデータ収集領域と、データが収集されないデータ非収集領域とに分け、複数回のイメージングシーケンスが実行されるシーケンス群を含むスキャンを実行することにより、前記データ収集領域に配置されるデータを取得する磁気共鳴装置であって、
前記複数回のイメージングシーケンスは、複数のセグメントに分割されており、
各セグメントのｊ回目（ｊ＞１）以降のイメージングシーケンスによって収集されるデータは、前記データ収集領域内の位置から、前記データ収集領域のうちの前記データ非収集領域に隣接する側の位置に向かって並ぶように、前記データ収集領域に配置され、
前記ｊ回目以降のイメージングシーケンスのＲＦパルスのフリップ角が次第に減少するように、前記スキャンを実行するスキャン手段を有する、磁気共鳴装置である。
【発明の効果】
【０００９】
フリップ角が次第に増加又は減少するように、スキャンを実行することにより、ｋ空間のデータ収集領域とデータ非収集領域との間に生じる信号強度の段差を小さくすることができ、アーチファクトを低減することができる。
【図面の簡単な説明】
【００１０】
【図１】本発明の第１の形態の磁気共鳴装置の概略図である。
【図２】被検体１２を撮影するときに実行されるスキャンの説明図である。
【図３】被検体１２の撮影領域を概略的に示す図である。
【図４】３Ｄグラディエントエコー法を用いたイメージングシーケンスを示す図である。
【図５】フリップ角の説明図である。
【図６】全てのイメージングシーケンスＡ１〜Ａｎのフリップ角を同じ値αｍａｘに設定したときの図である。
【図７】イメージングシーケンスＡ１〜Ａｎのフリップ角を図５に示すように設定したときのｋ空間のｋｚ方向の信号強度の変化と、イメージングシーケンスＡ１〜Ａｎのフリップ角を図６に示すように設定したときのｋ空間のｋｚ方向の信号強度の変化との違いを概略的に示すグラフである。
【図８】第２の形態におけるスキャンを示す図である。
【図９】被検体の撮影領域を概略的に示す図である。
【図１０】第３の形態におけるシーケンス群のフリップ角の説明図である。
【図１１】第４の形態におけるスキャンの説明図である。
【図１２】第４の形態におけるフリップ角の説明図である。
【図１３】第５の形態におけるフリップ角の説明図である。
【図１４】シミュレーション結果を示す図である。
【図１５】第６の形態におけるフリップ角の説明図である。
【図１６】シミュレーション結果を示す図である。
【図１７】第７の形態におけるシーケンス群を示す図である。
【図１８】第７の形態におけるフリップ角の説明図である。
【図１９】第８の形態におけるスキャンの説明図である。
【図２０】第８の形態におけるフリップ角の説明図である。
【図２１】第９の形態におけるスキャンの説明図である。
【図２２】第９の形態におけるフリップ角の説明図である。
【発明を実施するための形態】
【００１１】
以下、発明を実施するための形態を説明するが、本発明は、以下の形態に限定されることはない。
【００１２】
（１）第１の形態
図１は、本発明の第１の形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１３】
マグネット２は、被検体１２が収容されるボア２１、超伝導コイル２２、勾配コイル２３、送信コイル２４などを有している。超伝導コイル２２は静磁場を印加し、勾配コイル２３は勾配磁場を印加し、送信コイル２４はＲＦパルスを送信する。尚、超伝導コイル２２の代わりに、永久磁石を用いてもよい。
【００１４】
テーブル３は、被検体１２を支持するためのクレードル３ａを有している。クレードル３ａがボア２１に移動することによって、被検体１２がボアに搬入される。
受信コイル４は被検体１２の腹部に取り付けられている。
【００１５】
ＭＲ装置１００は、更に、シーケンサ５、送信器６、勾配磁場電源７、受信器８、中央処理装置９、操作部１０、および表示部１１を有している。
【００１６】
シーケンサ５は、中央処理装置９の制御を受けて、パルスシーケンスを実行するための情報を送信器６および勾配磁場電源７に送る。
【００１７】
送信器６は、ＲＦコイル２４に信号を供給する。
勾配磁場電源７は、勾配コイル２３に信号を供給する。
【００１８】
受信器８は、受信コイル４で受信された磁気共鳴信号を信号処理し、中央処理装置９に出力する。
【００１９】
中央処理装置９は、シーケンサ５および表示部１１に必要な情報を伝送したり、受信器８から受け取ったデータに基づいて画像を再構成するなど、ＭＲ装置１００の各種の動作を実現するように、ＭＲ装置１００の各部の動作を制御する。中央処理装置９は、例えばコンピュータ（computer）によって構成される。
【００２０】
操作部１０は、オペレータにより操作され、種々の情報を中央処理装置９に入力する。表示部１１は種々の情報を表示する。
【００２１】
ＭＲ装置１００は、上記のように構成されている。尚、マグネット２、シーケンサ５、送信器６、勾配磁場電源７、受信器８を合わせたものが、スキャン手段に相当する。
【００２２】
図２は、被検体１２を撮影するときに実行されるスキャンの説明図、図３は、被検体１２の撮影領域を概略的に示す図である。
【００２３】
第１の形態では、被検体１２の肝臓を含む領域を、撮影領域Ｒｉｍ（図３参照）としている。撮影領域Ｒｉｍの画像データを取得するために、図２に示すように、シーケンス群Ｇ１〜Ｇｍを含むスキャンが実行される。
【００２４】
シーケンス群Ｇ１は、脂肪抑制パルスＦＳＰ１と、イメージングシーケンスＡ１〜Ａｎとを有している。イメージングシーケンスＡ１〜Ａｎの各々は、被検体１２の肝臓を含む撮影領域Ｒｉｍの画像データを取得するためのシーケンスである。イメージングシーケンスＡ１〜Ａｎは繰り返し時間ＴＲごとに実行される。
【００２５】
その他のシーケンス群Ｇ２〜Ｇｍも、シーケンス群Ｇ１と同様に、脂肪抑制パルスＦＳＰ１と、イメージングシーケンスＡ１〜Ａｎとを有している。シーケンス群Ｇ１〜Ｇｍを実行することによって、撮影領域Ｒｉｍの画像データを取得するために必要なｋ空間のデータが収集される。
【００２６】
尚、第１の形態では、ｋ空間は、データが収集されないデータ非収集領域Ｒｎｏｎと、データが収集されるデータ収集領域Ｒａｃｑとに分けられている。シーケンス群Ｇ１のイメージングシーケンスＡ１〜Ａｎよって収集されるデータは、データ非収集領域Ｒｎｏｎに隣接する側の位置Ｐ１１から、データ非収集領域Ｒｎｏｎを離れる方向Ｄａに並ぶように、ｋｙ＝ｋｙ１のライン上に配置される。例えば、１回目〜ｉ回目のイメージングシーケンスＡ１〜Ａｉによって収集されるデータは、データ非収集領域Ｒｎｏｎに隣接する側の位置Ｐ１１から、データ収集領域Ｒａｃｑ内の位置Ｐ１ｉに向かって並ぶように配置される。また、ｊ回目以降（ｊ回目〜ｎ回目）のイメージングシーケンスＡｊ〜Ａｎによって収集されるデータは、データ収集領域Ｒａｃｑの位置Ｐ１ｊから、データ非収集領域Ｒｎｏｎとは反対側の位置Ｐ１ｎに向かって並ぶように配置される。
【００２７】
以下同様に、他のシーケンスＧ２〜Ｇｍにおいて収集されたデータは、それぞれ、データ非収集領域Ｒｎｏｎに隣接する側の位置Ｐ２１〜Ｐｍ１から、データ非収集領域Ｒｎｏｎを離れる方向Ｄａに並ぶように、ｋｙ＝ｋｙ２〜ｋｙｍのライン上に配置される。
【００２８】
次に、イメージングシーケンスＡ１〜Ａｎについて説明する。図４に、イメージングシーケンスＡ１〜Ａｎの一例として、３Ｄグラディエントエコー法を用いたイメージングシーケンスが示されている。各シーケンス群Ｇ１〜Ｇｍでは、図４に示すイメージングシーケンスが、繰り返し時間ＴＲごとに、繰り返し実行されている。ただし、第１の形態では、イメージングシーケンスＡ１〜ＡｎのＲＦパルスＰαのフリップ角は同じ値ではなく、イメージングシーケンスＡ１〜Ａｉについては、ＲＦパルスＰαのフリップ角が次第に増加するように設定されている。以下に、第１の形態におけるＲＦパルスＰαのフリップ角について説明する。
【００２９】
図５は、フリップ角の説明図である。
図５のグラフの横軸は、イメージングシーケンスＡ１〜Ａｎを表しており、グラフの縦軸は、各イメージングシーケンスＡ１〜ＡｎのＲＦパルスＰαのフリップ角を表している。
【００３０】
ｉ回目〜ｎ回目に実行されるイメージングシーケンスＡｉ〜ＡｎのＲＦパルスＰαは、同じフリップ角αｍａｘ（例えば、αｍａｘ＝３０°）に設定されている。しかし、１回目〜ｉ回目に実行されるイメージングシーケンスＡ１〜ＡｉのＲＦパルスＰαのフリップ角は、次第に増加しながら、αｍａｘに到達している。図５に示すようにフリップ角を設定することによって、全てのイメージングシーケンスＡ１〜Ａｎのフリップ角を同じ値αｍａｘに設定する場合（図６参照）と比較して、アーチファクトを低減できるという効果がある。以下に、この効果が得られる理由について、図７を参照しながら説明する。
【００３１】
図７は、イメージングシーケンスＡ１〜Ａｎのフリップ角を図５に示すように設定したときのｋ空間のｋｚ方向の信号強度の変化と、イメージングシーケンスＡ１〜Ａｎのフリップ角を図６に示すように設定したときのｋ空間のｋｚ方向の信号強度の変化との違いを概略的に示すグラフである。
【００３２】
図７には、ｋｙ＝ｋｙ１におけるｋｚ方向の信号強度の変化を示しているが、ｋｙ＝ｋｙ２〜ｋｙｍにおけるｋｚ方向の信号強度の変化も、図７と同様のグラフで示される。
【００３３】
イメージングシーケンスＡ１〜Ａｎの全てのフリップ角を同じ値αｍａｘに設定した場合（図６のフリップ角の場合）、イメージングシーケンスＡ１で取得された磁気共鳴信号の信号強度が最大となり、信号強度は次第に小さくなる。したがって、ｋ空間のデータ非収集領域Ｒｎｏｎとデータ収集領域Ｒａｃｑとの間に、信号強度の大きな段差ΔＤ１が現れ、アーチファクトの原因となる。
【００３４】
これに対し、イメージングシーケンスＡ１〜Ａｉのフリップ角を次第に増加させながらαｍａｘに到達させた場合（図５のフリップ角の場合）、イメージングシーケンスＡ１のフリップ角はαｍａｘよりも十分に小さい値になる。したがって、ｋ空間のデータ非収集領域Ｒｎｏｎとデータ収集領域Ｒａｃｑとの間に現れる信号強度の段差ΔＤ２を、ΔＤ１よりも小さくすることができるので、アーチファクトを低減することができる。
【００３５】
尚、第１の形態では、シーケンス群は、脂肪抑制パルスＦＳＰ１を有しているが、脂肪抑制をする必要がない場合は、脂肪抑制パルスＦＳＰ１は備えなくてもよい。
【００３６】
また、上記の説明では、ｋ空間のデータをシーケンシャルに収集する例について説明されているが、ｋ空間の段差を小さくすることができるのであれば、別の収集順序であってもよい。
【００３７】
（２）第２の形態
第２の形態は、第１の形態と比較すると、シーケンス群が異なるが、その他の点は第１の形態と同じである。したがって、第２の形態の説明に当たっては、シーケンス群について主に説明する。
【００３８】
図８は第２の形態におけるスキャンを示す図、図９は被検体の撮影領域を概略的に示す図である。
【００３９】
第２の形態では、最後のイメージングシーケンスＡｎの後に、ナビゲータシーケンスＮＡＶが備えられている。尚、その他の点は、第１の形態（図２参照）と同じである。ナビゲータシーケンスＮＡＶは、被検体の呼吸信号を検出するためのシーケンスであり、具体的には、横隔膜を含むナビゲータ領域Ｒｎａｖ（図３参照）から、横隔膜の位置を表すナビゲータデータを取得するためのシーケンスである。このように、ナビゲータシーケンスＮＡＶを備えることによって、呼吸同期法で被検体を撮影することができる。
【００４０】
尚、１つのシーケンス群には複数のイメージングシーケンスＡ１〜Ａｎが含まれているので、イメージングシーケンスが実行されるたびに、ＲＦパルスが送信される。したがって、撮影領域Ｒｉｍ内では、スピンの飽和効果によって、スピンの縦磁化が次第に小さくなる。そして、このように縦磁化が小さくなった後で、ナビゲータシーケンスＮＡＶが実行される。しかし、ナビゲータシーケンスＮＡＶにより励起されるナビゲータ領域Ｒｎａｖは、撮影領域Ｒｉｍに重なっているので、最後のイメージングシーケンスＡｎが終了した直後は、ナビゲータ領域Ｒｎａｖ内の磁化もかなり小さくなっている。したがって、イメージングシーケンスＡｎが終了して直ぐにナビゲータシーケンスＮＡＶを実行すると、ナビゲータ領域Ｒｎａｖ内の磁化が小さいことが原因でナビゲータ信号が劣化してしまい、横隔膜の位置の検出精度が低下することがある。
【００４１】
そこで、第２の形態では、最後のイメージングシーケンスＡｎと、ナビゲータシーケンスＮＡＶとの間に、待ち時間ＴＷを設けている。待ち時間ＴＷを設けることによって、ナビゲータ領域Ｒｎａｖ内の磁化を回復させることができるので、ナビゲータ信号の劣化を抑制することができ、横隔膜の位置の検出精度を向上させることができる。待ち時間ＴＷは、例えば、２０ｍｓｅｃ程度とすることができる。尚、十分な検出精度が得られるのであれば、待ち時間ＴＷを設けなくてもよい。
【００４２】
（３）第３の形態
第３の形態は、第１の形態と比較すると、シーケンス群のフリップ角が異なるが、その他の点は第１の形態と同じである。したがって、第３の形態の説明に当たっては、シーケンス群のフリップ角について主に説明する。
【００４３】
図１０は、第３の形態におけるシーケンス群のフリップ角の説明図である。
第３の形態では、１番目〜ｉ番目に実行されるイメージングシーケンスＡ１〜ＡｉのＲＦパルスＰαのフリップ角は、次第に増加しながら、αｍａｘに到達している。そして、ｉ番目〜ｊ番目に実行されるイメージングシーケンスＡｉ〜ＡｊのＲＦパルスＰαは、同じフリップ角αｍａｘ（例えば、αｍａｘ＝３０°）に設定されている。ここまでは、第１の形態と同じである。しかし、第３の形態では、ｊ番目以降（ｊ番目〜ｎ番目）に実行されるイメージングシーケンスＡｊ〜ＡｎのＲＦパルスＰαのフリップ角は、αｍａｘから次第に減少するように設定されている。図１０では、シーケンス群Ｇ１のフリップ角を説明したが、その他のシーケンス群Ｇ２〜Ｇｍのフリップ角も、図１０に示すフリップ角で表される。
【００４４】
フリップ角を次第に増加させるだけでなく、途中からフリップ角を次第に減少させることによって、画像のアーチファクトを更に低減することができる。
【００４５】
また、第３の形態でも、第１の形態と同様に、ｋ空間のデータの収集順序はシーケンシャルに限られることはなく、別の収集方法で収集してもよい。更に、第２の形態と同様に、ナビゲータシーケンスＮＡＶを設けてもよい（図８参照）。ナビゲータシーケンスＮＡＶを設けた場合は、最後のイメージングシーケンスＡｎとナビゲータシーケンスＮＡＶとの間に、待ち時間ＴＷを設けることにより、ナビゲータ信号の劣化を抑制することができ、横隔膜の位置の検出精度を向上させることができる。
【００４６】
（４）第４の形態
第４の形態は、第１の形態と比較すると、シーケンス群が異なるが、その他の点は第１の形態と同じである。したがって、第４形態の説明に当たっては、シーケンス群について主に説明する。
【００４７】
図１１は、第４の形態におけるスキャンの説明図である。
第４の形態では、シーケンス群Ｇ１〜Ｇｍを含むスキャンが実行される。
【００４８】
シーケンス群Ｇ１は、２つの脂肪抑制パルスＦＳＰ１およびＦＳＰ２と、２つのセグメントＳＧ１およびＳＧ２と、ナビゲータシーケンスＮＡＶとを有している。セグメントＳＧ１は、イメージングシーケンスＡ１１〜Ａ１ｋを有しており、セグメントＳＧ２は、イメージングシーケンスＡ２１〜Ａ２ｋを有している。１つ目の脂肪抑制パルスＦＳＰ１は、イメージングシーケンスＡ１１の前に設けられており、２つ目の脂肪抑制パルスＦＳＰ２は、イメージングシーケンスＡ１ｋとＡ２１との間に設けられている。
【００４９】
セグメントＳＧ１のイメージングシーケンスＡ１１〜Ａ１ｋによって収集されるデータは、データ非収集領域Ｒｎｏｎに隣接する側の位置Ｐ１１から、データ非収集領域Ｒｎｏｎを離れる方向Ｄａに並ぶように、ｋｙ＝ｋｙ１のライン上に配置される。ただし、セグメントＳＧ１は、ｋｙ＝ｋｙ１のライン上において、ｋｚ座標値が奇数となる位置のデータを収集する。
【００５０】
例えば、１回目〜ｉ回目のイメージングシーケンスＡ１１〜Ａ１ｉによって収集されるデータは、データ非収集領域Ｒｎｏｎに隣接する側の位置Ｐ１１から、データ収集領域Ｒａｃｑ内の位置Ｐ１ｉに向かって、ｋｚ座標値が奇数となる位置に配置される。また、ｊ回目以降（ｊ回目〜ｋ回目）のイメージングシーケンスＡ１ｊ〜Ａ１ｋによって収集されるデータは、データ収集領域Ｒａｃｑ内の位置Ｐ１ｊから、データ非収集領域Ｒｎｏｎとは反対側の位置Ｐ１ｋに向かって、ｋｚ座標値が奇数となる位置に配置される。
【００５１】
一方、セグメントＳＧ２のイメージングシーケンスＡ２１〜Ａ２ｋによって収集されるデータは、データ非収集領域Ｒｎｏｎに隣接する側の位置Ｐ２１から、データ非収集領域Ｒｎｏｎを離れる方向Ｄａに並ぶように、ｋｙ＝ｋｙ１のライン上に配置される。ただし、セグメントＳＧ２は、ｋｙ＝ｋｙ１のライン上において、ｋｚ座標値が偶数となる位置のデータを収集する。
【００５２】
例えば、１回目〜ｉ回目のイメージングシーケンスＡ２１〜Ａ２ｉによって収集されるデータは、データ非収集領域Ｒｎｏｎに隣接する側の位置Ｐ２１から、データ収集領域Ｒａｃｑ内の位置Ｐ２ｉに向かって、ｋｚ座標値が偶数となる位置に配置される。また、ｊ回目以降（ｊ回目〜ｋ回目）のイメージングシーケンスＡ２ｊ〜Ａ２ｋによって収集されるデータは、データ収集領域Ｒａｃｑの位置Ｐ２ｊから、データ非収集領域Ｒｎｏｎとは反対側の位置Ｐ２ｋに向かって、ｋｚ座標値が偶数となる位置に配置される。
【００５３】
その他のシーケンス群Ｇ２〜Ｇｍも、シーケンス群Ｇ１と同様に、２つの脂肪抑制パルスＦＳＰ１およびＦＳＰ２と、２つのセグメントＳＧ１およびＳＧ２と、ナビゲータシーケンスＮＡＶとを有しており、ｋｙ＝ｋｙ２〜ｋｙｍのライン上のデータを収集する。
次に、第４の形態におけるイメージングシーケンスのフリップ角について説明する。
【００５４】
図１２は、フリップ角の説明図である。
図１２のグラフの横軸は、１つ目のセグメントＳＧ１のイメージングシーケンスＡ１１〜Ａ１ｋと、２つ目のセグメントＳＧ２のイメージングシーケンスＡ２１〜Ａ２ｋとを表している。グラフの縦軸は、各イメージングシーケンスのＲＦパルスＰαのフリップ角を表している。
【００５５】
１つ目のセグメントＳＧ１では、１回目〜ｉ回目に実行されるイメージングシーケンスＡ１１〜Ａ１ｉのＲＦパルスＰαのフリップ角は、αｍｉｎから次第に増加しながらαｍａｘに到達するように設定されており、ｉ回目〜ｋ回目に実行されるイメージングシーケンスＡ１ｉ〜Ａ１ｋのＲＦパルスＰαは、同じフリップ角αｍａｘに設定されている。
【００５６】
また、２つ目のセグメントＳＧ２でも、１つ目のセグメントＳＧ１と同様に、１回目〜ｉ回目に実行されるイメージングシーケンスＡ２１〜Ａ２ｉのＲＦパルスＰαのフリップ角は、αｍｉｎから次第に増加しながらαｍａｘに到達するように設定されており、ｉ回目〜ｋ回目に実行されるイメージングシーケンスＡ２ｉ〜Ａ２ｋのＲＦパルスＰαは、同じフリップ角αｍａｘに設定されている。
【００５７】
１つ目のセグメントＳＧ１と２つ目のセグメントＳＧ２とのフリップ角を図１２に示すように設定することにより、セグメントＳＧ１で得られた信号強度と、セグメントＳＧ２で得られた信号強度との差を小さくすることができるので、アーチファクトを更に低減することができる。
【００５８】
また、第４の形態では、１つのシーケンス群に２つの脂肪抑制パルスＦＳＰ１およびＦＳＰ２が備えられている。このように脂肪抑制パルスを２つ備えることによって、１つ目の脂肪抑制パルスＦＳＰ１の脂肪抑制効果が途中で得られなくなっても、２つ目の脂肪抑制パルスＦＳＰ２の脂肪抑制効果によって、１つのシーケンス群を実行している間に渡って、脂肪抑制効果を維持することができる。
【００５９】
また、第４の形態では、1つ目のセグメントＳＧ１によってｋｚ座標値が奇数となる位置のデータを先に収集し、次に、２つ目のセグメントＳＧ２によってｋｚ座標値が偶数となる位置のデータを収集している。しかし、別の収集方法（例えば、ｋｚ座標値が偶数となる位置のデータを先に収集し、次に、ｋｚ座標値が奇数となる位置のデータを収集する方法）で収集してもよい。更に、第４の形態では、ナビゲータシーケンスＮＡＶを備えているが、呼吸同期法で撮影をする必要がない場合は、ナビゲータシーケンスＮＡＶは備えなくてもよい。
【００６０】
尚、最初のセグメントＳＧ１では、１回目〜ｉ回目のイメージングシーケンスＡ１１〜Ａ１ｉのフリップ角が次第に増加するように設定されており、次のセグメントＳＧ２では、１回目〜ｉ回目のイメージングシーケンスＡ２１〜Ａ２ｉのフリップ角が次第に増加するように設定されている。ここで、セグメントＳＧ１およびＳＧ２におけるｉの値は、同じ値に設定することができる。例えば、最初のセグメントＳＧ１においてｉ＝５とし、次のセグメントＳＧ２でもｉ＝５とすることができる。この場合、セグメントＳＧ１では、１回目〜５回目のイメージングシーケンスＡ１１〜Ａ１５のフリップ角が次第に増加し、次のセグメントＳＧ２では、１回目〜５回目のイメージングシーケンスＡ２１〜Ａ２５のフリップ角が次第に増加する。
【００６１】
一方、セグメントＳＧ１およびＳＧ２におけるｉの値は、異なる値に設定してもよい。例えば、最初のセグメントＳＧ１においてｉ＝５とし、次のセグメントＳＧ２においてｉ＝６としてもよい。この場合、セグメントＳＧ１では、１回目〜５回目のイメージングシーケンスＡ１１〜Ａ１５のフリップ角が次第に増加し、次のセグメントＳＧ２では、１回目〜６回目のイメージングシーケンスＡ２１〜Ａ２６のフリップ角が次第に増加する。
【００６２】
（５）第５の形態
第５の形態は、第４の形態と比較すると、シーケンス群のフリップ角が異なるが、その他の点は第４の形態と同じである。したがって、第５の形態の説明に当たっては、シーケンス群のフリップ角について主に説明する。
【００６３】
図１３は、フリップ角の説明図である。
１つ目のセグメントＳＧ１では、１回目〜ｉ回目に実行されるイメージングシーケンスＡ１１〜Ａ１ｉのＲＦパルスＰαのフリップ角は、αｍｉｎから次第に増加しながらαｍａｘに到達しており、ｉ回目〜ｊ回目に実行されるイメージングシーケンスＡ１ｉ〜Ａ１ｊのＲＦパルスＰαは、同じフリップ角αｍａｘに設定されている。ここまでは、第４の形態と同じである。しかし、第５の形態では、ｊ番目以降（ｊ番目〜ｋ番目）に実行されるイメージングシーケンスＡ１ｊ〜Ａ１ｋのＲＦパルスＰαのフリップ角は、αｍａｘから次第に減少するように設定されている。
２つ目のセグメントＳＧ２も、１つ目のセグメントＳＧ１と同様に、フリップ角が増減している。
【００６４】
第５の形態では、ＲＦパルスＰαのフリップ角を次第に増加させながらαｍａｘに到達させた後、フリップ角をαｍａｘに保持し、途中からフリップ角を次第に減少させている。このように、ＲＦパルスＰαのフリップ角を次第に増加させるだけでなく、途中から次第に減少させことによって、アーチファクトを更に低減することができる。アーチファクトが更に低減できることを検証するため、図１３のフリップ角を有するパルスシーケンスを用いて点関数を受信したときの点関数の広がりを表す点広がり関数（Point Spread Function）のシミュレーションを行った。シミュレーション条件は、以下の通りである。
（１）フリップ角の最大値αｍａｘ＝３０°
（２）フリップ角の最小値αｍｉｎ＝１５°
（３）セグメントＳＧ１のイメージングシーケンスＡ１１〜Ａ１ｋの数：１１個
（４）セグメントＳＧ２のイメージングシーケンスＡ２１〜Ａ２ｋの数：１１個
【００６５】
図１４は、シミュレーション結果を示す図である。
図１４には、２つのシミュレーション結果ＡおよびＢが示されている。シミュレーション結果Ａは、イメージングシーケンスＡ１１〜Ａ２ｋのフリップ角を図１３に示すフリップ角に設定したときのシミュレーション結果である。一方、シミュレーション結果Ｂは、シミュレーション結果Ａと比較するためのものであり、イメージングシーケンスＡ１１〜Ａ２ｋのフリップ角を同じ値αｍａｘ＝３０°に設定したときのシミュレーション結果である。
【００６６】
シミュレーション結果ＡおよびＢの左側のグラフ（ａ１）および（ｂ１）は、ｋ空間のｋｚ方向の信号強度変化を示す図であり、右側のグラフ（ａ２）および（ｂ２）は、画像データを示す図である。
【００６７】
グラフ（ａ１）の信号強度変化と、グラフ（ｂ１）の信号強度変化とを比較すると、グラフ（ａ１）における信号強度の段差ΔＤ１は、グラフ（ｂ１）における信号強度の段差ΔＤ２よりも小さくなっている。また、グラフ（ａ２）の画像データとグラフ（ｂ２）の画像データとを比較すると、グラフ（ａ２）の画像データは、グラフ（ｂ２）の画像データよりも、ピークの両側のデータ値が抑制されている。したがって、イメージングシーケンスＡ１１〜Ａ２ｋのフリップ角を図１３に示すフリップ角に設定することによって、アーチファクトを低減できることがわかる。
【００６８】
第５の形態では、第４の形態と同様に、最初のセグメントＳＧ１において、１回目〜ｉ回目のイメージングシーケンスＡ１１〜Ａ１ｉのフリップ角が次第に増加するように設定されており、次のセグメントＳＧ２において、１回目〜ｉ回目のイメージングシーケンスＡ２１〜Ａ２ｉのフリップ角が次第に増加するように設定されている。第５の形態でも、セグメントＳＧ１およびＳＧ２におけるｉの値は、同じ値でもよいし、異なる値でもよい。
【００６９】
尚、第５の形態では、最初のセグメントＳＧ１において、ｊ回目以降（ｊ回目〜ｋ回目）のイメージングシーケンスＡ１ｊ〜Ａ１ｋのフリップ角が次第に減少するように設定されており、次のセグメントＳＧ２において、ｊ回目以降（ｊ回目〜ｋ回目）のイメージングシーケンスＡ２ｊ〜Ａ２ｋのフリップ角が次第に減少するように設定されている。ここで、最初のセグメントＳＧ１におけるｊの値は、次のセグメントＳＧ２におけるｊの値と同じ値に設定することができる。例えば、最初のセグメントＳＧ１においてｊ＝９とし、次のセグメントＳＧ２でもｊ＝９とすることができる。この場合、セグメントＳＧ１では、９回目〜ｋ回目のイメージングシーケンスＡ１９〜Ａ１ｋのフリップ角が次第に減少し、次のセグメントＳＧ２でも、９回目〜ｋ回目のイメージングシーケンスＡ２９〜Ａ２ｋのフリップ角が次第に減少する。
【００７０】
一方、セグメントＳＧ１およびＳＧ２におけるｊの値は、異なる値に設定してもよい。例えば、最初のセグメントＳＧ１においてｊ＝９とし、次のセグメントＳＧ２においてｊ＝８としてもよい。この場合、セグメントＳＧ１では、９回目〜ｋ回目のイメージングシーケンスＡ１９〜Ａ１ｋのフリップ角が次第に減少し、次のセグメントＳＧ２では、８回目〜ｋ回目のイメージングシーケンスＡ２８〜Ａ２ｋのフリップ角が次第に減少すする。
【００７１】
（６）第６の形態
第６の形態は、第５の形態と比較すると、シーケンス群のフリップ角が異なるが、その他の点は第５の形態と同じである。したがって、第６の形態の説明に当たっては、シーケンス群のフリップ角について主に説明する。
【００７２】
図１５は、フリップ角の説明図である。
第６の形態では、セグメントＳＧ１のイメージングシーケンスＡ１ｉ〜Ａ１ｊのフリップ角αｍａｘ′を、セグメントＳＧ２のイメージングシーケンスＡ２ｉ〜Ａ２ｊのフリップ角αｍａｘよりもΔαだけ小さくしている。
【００７３】
このようにフリップ角を小さくすることによって、ｋｚ方向の隣り合う信号強度の段差を小さくすることができる。このことを検証するため、図１５に示すフリップ角のパルスシーケンスを用いて点関数を受信したときのシミュレーションを行った。シミュレーション条件は、αｍａｘ′＝２５°であり、その他の条件は、第５の形態のシミュレーション条件と同じである。
【００７４】
図１６は、シミュレーション結果を示す図である。
図１６には、イメージングシーケンスＡ１１〜Ａ２ｋのフリップ角を図１５に示すフリップ角に設定したときのシミュレーション結果Ｃが示されている。シミュレーション結果Ｃの左側のグラフ（ｃ１）は、ｋ空間のｋｚ方向の信号強度変化を示す図であり、右側のグラフ（ｃ２）は画像データを示す図である。
【００７５】
図１６のグラフ（ｃ１）の信号強度変化と、図１４のグラフ（ａ１）の信号強度変化とを比較すると、図１６のグラフ（ｃ１）は、図１４のグラフ（ａ１）よりも、ｋｚ方向に隣接する信号強度の差が小さくなっている。また、図１６のグラフ（ｃ２）の画像データと、図１４のグラフ（ａ２）の画像データとを比較すると、図１６のグラフ（ｃ２）の画像データは、図１４のグラフ（ａ２）の画像データよりも、ＦＯＶの端でのゴーストが抑えられている。したがって、イメージングシーケンスＡ１１〜Ａ２ｋのフリップ角を図１５に示すフリップ角に設定することによって、アーチファクトを更に低減できることがわかる。
【００７６】
（７）第７の形態
第４〜第６の形態では、１つのシーケンス群が２つのセグメントＳＧ１およびＳＧ２を有する例について説明したが、第７の形態では、セグメントの数を一般化して、１つのシーケンス群にｚ個のセグメントを含んでいる場合について説明する。
【００７７】
図１７は、第７の形態におけるシーケンス群を示す図である。
第７の形態では、１つのシーケンス群は、ｚ個の脂肪抑制パルスＦＳＰ１〜ＦＳＰｚと、ｚ個のセグメントＳＧ１〜ＳＧｚと、ナビゲータシーケンスＮＡＶとを有している。
【００７８】
図１８は、第７の形態におけるフリップ角を示す図である。
各セグメントＳＧ１〜ＳＧｚのフリップ角は、１回目〜ｉ回目のイメージングシーケンスのフリップ角が次第に増加するように設定されており、ｊ回目以降（ｊ回目〜ｋ回目）のイメージングシーケンスのフリップ角が次第に小さくなるように設定されている。また、第７の形態では、セグメントＳＧ１〜ＳＧｚのうちの３つ以上のセグメントのフリップ角の最大値が、互いに異なる値に設定されている。図１８では、セグメントＳＧ１、ＳＧ２、およびＳＧｚのフリップ角の最大値αｍａｘ１、αｍａｘ２、およびαｍａｘｚが、互いに異なる値に設定されている例が示されている。このように、フリップ角の最大値を異なる値に設定することによって、ｋｚ方向の隣り合う信号強度の段差を更に小さくすることができるので、アーチファクトを更に低減することができる。
【００７９】
尚、各セグメントＳＧ１〜ＳＧｚには、ｋ個のイメージングシーケンスが含まれているが、各セグメントＳＧ１〜ＳＧｚのｋの値は、同じ値でもよいし、異なる値でもよい。
【００８０】
（８）第８の形態
第８の形態では、第１〜第７の形態とは別の収集順序でデータを収集する場合について説明する。
【００８１】
図１９は、第８の形態におけるスキャンの説明図である。
第８の形態では、シーケンス群Ｇ１〜Ｇｍを含むスキャンが実行される。
【００８２】
シーケンス群Ｇ１は、脂肪抑制パルスＦＳＰ１と、イメージングシーケンスＡ１〜Ａｎとを有している。その他のシーケンス群Ｇ２〜Ｇｍも、シーケンス群Ｇ１と同様に、脂肪抑制パルスＦＳＰ１と、イメージングシーケンスＡ１〜Ａｎとを有している。
【００８３】
ｋ空間は、データが収集されないデータ非収集領域Ｒｎｏｎと、データが収集されるデータ収集領域Ｒａｃｑとに分けられている。シーケンス群Ｇ１のイメージングシーケンスＡ１〜Ａｎよって収集されるデータは、データ非収集領域Ｒｎｏｎとは反対側の位置Ｐ１１から、データ非収集領域Ｒｎｏｎに近づく方向Ｄｂに並ぶように、ｋｙ＝ｋｙ１のライン上に配置される。例えば、１回目〜ｉ回目のイメージングシーケンスＡ１〜Ａｉによって収集されるデータは、データ非収集領域Ｒｎｏｎとは反対側の位置Ｐ１１から、データ収集領域Ｒａｃｑ内の位置Ｐ１ｉに向かって並ぶように配置される。また、ｊ回目以降（ｊ回目〜ｎ回目）のイメージングシーケンスＡｊ〜Ａｎによって収集されるデータは、データ収集領域Ｒａｃｑの位置Ｐ１ｊから、データ非収集領域Ｒｎｏｎに隣接する側の位置Ｐ１ｎに向かって並ぶように配置される。
【００８４】
以下同様に、他のシーケンスＧ２〜Ｇｍにおいて収集されたデータは、それぞれ、データ非収集領域Ｒｎｏｎとは反対側の位置Ｐ２１〜Ｐｍ１から、データ非収集領域Ｒｎｏｎに近づく方向Ｄｂに並ぶように、ｋｙ＝ｋｙ２〜ｋｙｍのライン上に配置される。
次に、第８の形態におけるイメージングシーケンスのフリップ角について説明する。
【００８５】
図２０は、フリップ角の説明図である。
第８の形態では、１番目〜ｊ番目のイメージングシーケンスＡ１〜ＡｊのＲＦパルスＰαは、同じフリップ角αｍａｘ（例えば、αｍａｘ＝３０°）に設定されている。しかし、ｊ番目以降（ｊ番目〜ｎ番目）のイメージングシーケンスＡｊ〜ＡｎにおけるＲＦパルスＰαのフリップ角は、αｍａｘから次第に減少するように設定されている。
【００８６】
図２０に示すように、途中からフリップ角を次第に減少させることによって、データ収集領域Ｒａｃｑとデータ非収集領域Ｒｎｏｎとの信号強度の段差を減少させることができる。
【００８７】
尚、シーケンス群は、脂肪抑制パルスＦＳＰ１を有しているが、脂肪抑制をする必要がない場合は、脂肪抑制パルスＦＳＰ１は備えなくてもよい。また、呼吸同期法で撮影する場合は、ナビゲータシーケンスＮＡＶを設ければよい。
【００８８】
第８の形態では、フリップ角は図２０に示すように設定されているが、図１０に示すように設定してもよい。図１０のフリップ角により、アーチファクトを更に低減することができる。
【００８９】
（９）第９の形態
第９の形態では、シーケンス群が２つのセグメントに分けられている場合について説明する。
【００９０】
図２１は、第９の形態におけるスキャンの説明図である。
第９の形態では、シーケンス群Ｇ１〜Ｇｍを含むスキャンが実行される。
【００９１】
シーケンス群Ｇ１は、２つの脂肪抑制パルスＦＳＰ１およびＦＳＰ２と、２つのセグメントＳＧ１およびＳＧ２と、ナビゲータシーケンスＮＡＶとを有している。セグメントＳＧ１は、イメージングシーケンスＡ１１〜Ａ１ｋを有しており、セグメントＳＧ２は、イメージングシーケンスＡ２１〜Ａ２ｋを有している。１つ目の脂肪抑制パルスＦＳＰ１は、イメージングシーケンスＡ１１の前に設けられており、２つ目の脂肪抑制パルスＦＳＰ２は、イメージングシーケンスＡ１ｋとＡ２１との間に設けられている。
【００９２】
セグメントＳＧ１のイメージングシーケンスＡ１１〜Ａ１ｋによって収集されるデータは、データ非収集領域Ｒｎｏｎとは反対側の位置Ｐ１１から、データ非収集領域Ｒｎｏｎに近づく方向Ｄｂに並ぶように、ｋｙ＝ｋｙ１のライン上に配置される。ただし、セグメントＳＧ１は、ｋｙ＝ｋｙ１のライン上において、ｋｚ座標値が奇数となる位置のデータを収集する。
【００９３】
例えば、１回目〜ｉ回目のイメージングシーケンスＡ１１〜Ａ１ｉによって収集されるデータは、データ非収集領域Ｒｎｏｎとは反対側の位置Ｐ１１から、データ収集領域Ｒａｃｑ内の位置Ｐ１ｉに向かって、ｋｚ座標値が奇数となる位置に配置される。また、ｊ回目以降（ｊ回目〜ｋ回目）のイメージングシーケンスＡ１ｊ〜Ａ１ｋによって収集されるデータは、データ収集領域Ｒａｃｑ内の位置Ｐ１ｊから、データ非収集領域Ｒｎｏｎに隣接する側の位置Ｐ１ｋに向かって、ｋｚ座標値が奇数となる位置に配置される。
【００９４】
一方、セグメントＳＧ２のイメージングシーケンスＡ２１〜Ａ２ｋによって収集されるデータは、データ非収集領域Ｒｎｏｎとは反対側の位置Ｐ２１から、データ非収集領域Ｒｎｏｎに近づく方向Ｄｂに並ぶように、ｋｙ＝ｋｙ１のライン上に配置される。ただし、セグメントＳＧ２は、ｋｙ＝ｋｙ１のライン上において、ｋｚ座標値が偶数となる位置のデータを収集する。
【００９５】
例えば、１回目〜ｉ回目のイメージングシーケンスＡ２１〜Ａ２ｉによって収集されるデータは、データ非収集領域Ｒｎｏｎとは反対側の位置Ｐ２１から、データ収集領域Ｒａｃｑ内の位置Ｐ２ｉに向かって、ｋｚ座標値が偶数となる位置に配置される。また、ｊ回目以降（ｊ回目〜ｋ回目）のイメージングシーケンスＡ２ｊ〜Ａ２ｋによって収集されるデータは、データ収集領域Ｒａｃｑ内の位置Ｐ２ｊから、データ非収集領域Ｒｎｏｎに隣接する側の位置Ｐ２ｋに向かって、ｋｚ座標値が偶数となる位置に配置される。
【００９６】
その他のシーケンス群Ｇ２〜Ｇｍも、シーケンス群Ｇ１と同様に、２つの脂肪抑制パルスＦＳＰ１およびＦＳＰ２と、２つのセグメントＳＧ１およびＳＧ２と、ナビゲータシーケンスＮＡＶとを有しており、ｋｙ＝ｋｙ２〜ｋｙｍのライン上のデータを収集する。
次に、第９の形態におけるイメージングシーケンスのフリップ角について説明する。
【００９７】
図２２は、フリップ角の説明図である。
図２２のグラフの横軸は、１つ目のセグメントＳＧ１のイメージングシーケンスＡ１１〜Ａ１ｋと、２つ目のセグメントＳＧ２のイメージングシーケンスＡ２１〜Ａ２ｋとを表している。グラフの縦軸は、各イメージングシーケンスのＲＦパルスＰαのフリップ角を表している。
【００９８】
１つ目のセグメントＳＧ１では、１回目〜ｊ回目のイメージングシーケンスＡ１１〜Ａ１ｊのＲＦパルスＰαのフリップ角は、同じフリップ角αｍａｘに設定されている。しかし、ｊ回目以降のイメージングシーケンスＡ１ｊ〜Ａ１ｋのＲＦパルスＰαは、αｍａｘから次第に減少するように設定されている。
【００９９】
また、２つ目のセグメントＳＧ２でも、１つ目のセグメントＳＧ１と同様に、１回目〜ｊ回目のイメージングシーケンスＡ２１〜Ａ２ｊのＲＦパルスＰαのフリップ角は、同じフリップ角αｍａｘに設定されているが、ｊ回目以降のイメージングシーケンスＡ１ｊ〜Ａ１ｋのＲＦパルスＰαは、αｍａｘから次第に減少するように設定されている。
【０１００】
１つ目のセグメントＳＧ１と２つ目のセグメントＳＧ２とのフリップ角を図２２に示すように設定することにより、セグメントＳＧ１で得られた信号強度と、セグメントＳＧ２で得られた信号強度との差を小さくすることができるので、アーチファクトを更に低減することができる。
【０１０１】
また、第９の形態では、ナビゲータシーケンスＮＡＶを備えているが、呼吸同期法で撮影をする必要がない場合は、ナビゲータシーケンスＮＡＶは備えなくてもよい。
【０１０２】
尚、第９の形態では、フリップ角は図２２に示すように設定されているが、図１３に示すように設定してもよい。図１３のフリップ角により、アーチファクトを更に低減することができる。
【０１０３】
更に、図１７に示すように、１つのシーケンス群をｚ個のセグメントＳＧ１〜ＳＧｚに分け、図１８に示すように、フリップ角を設定してもよい。
【符号の説明】
【０１０４】
２  マグネット
３  テーブル
３ａ  クレードル
５  シーケンサ
６  送信器
７  勾配磁場電源
８  受信器
９  中央処理装置
１０  操作部
１１  表示部
１２  被検体
１００  ＭＲ装置
【図１】
0005815384.tif 000002
【図２】
0005815384.tif 000003
【図３】
0005815384.tif 000004
【図４】
0005815384.tif 000005
【図５】
0005815384.tif 000006
【図６】
0005815384.tif 000007
【図７】
0005815384.tif 000008
【図８】
0005815384.tif 000009
【図９】
0005815384.tif 000010
【図１０】
0005815384.tif 000011
【図１１】
0005815384.tif 000012
【図１２】
0005815384.tif 000013
【図１３】
0005815384.tif 000014
【図１４】
0005815384.tif 000015
【図１５】
0005815384.tif 000016
【図１６】
0005815384.tif 000017
【図１７】
0005815384.tif 000018
【図１８】
0005815384.tif 000019
【図１９】
0005815384.tif 000020
【図２０】
0005815384.tif 000021
【図２１】
0005815384.tif 000022
【図２２】
0005815384.tif 000023